(57)【特許請求の範囲】
【請求項１】
コンクリート構造物間の目地部に跨って可撓性の伸縮継手を配置して固定するコンクリート構造物用伸縮継手の固定構造であって、
前記伸縮継手の両端部の碇着部が位置する前記コンクリート構造物表面の前記目地部から離れた両側に、それぞれ面修正部を２条形成し、前記面修正部の端縁部と前記目地部の端縁部との間に、Ｖ溝を形成して止水処理部を構成し、前記２条の面修正部上に前記碇着部を配置して前記目地部を跨って前記伸縮継手を固定してなることを特徴とするコンクリート構造物用伸縮継手の固定構造。
【請求項２】
前記碇着部の前記面修正部への固定を、アンカーボルトで直接固定しまたはアンカーボルトを介して締め付けられる固定部材を介して固定してなることを特徴とする請求項１記載のコンクリート構造物用伸縮継手の固定構造。
【請求項３】
コンクリート構造物間の目地部に跨って配置される可撓性の伸縮継手をコンクリート構造物に固定するに際し、
前記伸縮継手の両端部の碇着部が位置する前記コンクリート構造物表面の前記目地部から離れた両側にそれぞれ面修正部を２条形成した後、
前記面修正部の端縁部と前記目地部の端縁部との間に、Ｖ溝を形成して止水処理を施すようにし、
前記２条の面修正部上に、前記目地部を跨って前記碇着部を配置して締め付けて固定するようにしたことを特徴とするコンクリート構造物用伸縮継手の固定方法。
【請求項４】
前記２条の面修正部を、それぞれ２条のカッター加工を行ってその間をハツリ加工して２条の凹溝を形成し、次いで、これら２条の凹溝にセメント系モルタル材を充填して形成するようにしたことを特徴とする請求項３記載のコンクリート構造物用伸縮継手の固定方法。
【請求項５】
前記碇着部の前記面修正部への固定を、前記面修正部にアンカーボルトを植設して行うか、あるいはアンカーボルトに締め付ける固定部材を介して行うようにしたことを特徴とする請求項３または４に記載のコンクリート構造物用伸縮継手の固定方法。
【発明の詳細な説明】
【技術分野】
【０００１】
この発明は、コンクリート構造物用伸縮継手の固定構造およびその固定方法に関し、コンクリートで構築される、水路、水処理施設、トンネル、共同溝などのコンクリート構造物の目地部に可撓性の伸縮継手を設置して止水および相対変位を可能とするもので、特に伸縮継手の固定のための面修正部の形成の簡素化および廃棄物の発生抑制を図るようにしたものである。
【背景技術】
【０００２】
コンクリートで構築されるコンクリート構造物である水路や水槽あるいは共同溝等の地中に構築される暗渠などの壁部分の目地部には、内外を止水するとともにその両側のコンクリート構造物の不等沈下や地震時変位並びに温度変化等に起因する壁部分の伸縮等を許容する必要があり、コンクリート構造物の内側にゴムや合成樹脂の止水板などの可撓性の伸縮継手を設置することが行われている。
【０００３】
従来のコンクリート構造物では、例えば図５に示すように、コンクリート構造物１の目地部２の両側を一部切欠いて一連の凹溝３ａを形成し、この1連の凹溝３ａに特殊セメント系モルタルを打設して基準面１ｂとなる面修正部３を形成し、この面修正部３上に補強布４を目地部２を跨ぐように敷き、ゴムや合成ゴム等の弾性部材で製作され中間部に折り畳んだ伸縮部５ａを備えた伸縮継手５の両端の碇着部５ｂ，５ｂを配置して保護シート６で覆い、両端部の碇着部５ｂ，５ｂ等を押え板７を介して樹脂アンカー８で固定するようにしている（特許文献１参照）。
【先行技術文献】
【特許文献】
【０００４】
【特許文献１】特開平９−１４４１４８号公報
【発明の概要】
【発明が解決しようとする課題】
【０００５】
このようなコンクリート構造物１の目地部２に伸縮継手５を固定する場合には、躯体内空面１ａに基準面１ｂとなる面修正部３を形成する必要がある。
【０００６】
このため、従来の施工工程は、例えば図６に示すように、目地部２を中心に所定幅(設計面修正幅)の両端縁にカッター加工を行って２条の切り込み１ｃを形成し、これら切り込み１ｃ，１ｃの間をハツリ加工して一連の凹溝３ａを形成した後、凹溝３ａ内に特殊セメント系モルタルを打設して表面を平坦に仕上げることで面修正部３を形成するようにしている。
【０００７】
ところが、目地部近傍をハツリ加工しようとすると、図６(ｂ)に示すように、角隅部１ｄ，１ｄのコンクリートの欠け落ちが発生し易く、この部分のハツリ深さが深くなってコンクリート廃棄物（ロス）が多く出てしまうという問題があるとともに、面修正部３を形成するために必要な特殊セメント系モルタルの使用量も増大してしまうという問題がある。
【０００８】
また、目地部２にシリコーンなどのゴム系の目地材９を充填する場合には、充填深さが深くなって充填量が増大してしまうという問題がある。
【０００９】
この発明は、かかる従来技術の問題に鑑みてなされたものであって、伸縮継手の固定に必要な面修正部を確実かつ簡単に形成することができ、廃棄物の発生を抑えることができるコンクリート構造物用伸縮継手の固定構造およびその固定方法を提供しようとするものである。
【課題を解決するための手段】
【００１０】
上記課題を解決するためこの発明の請求項１記載のコンクリート構造物用伸縮継手の固定構造は、コンクリート構造物間の目地部に跨って可撓性の伸縮継手を配置して固定するコンクリート構造物用伸縮継手の固定構造であって、前記伸縮継手の両端部の碇着部が位置する前記コンクリート構造物表面の前記目地部から離れた両側に、それぞれ面修正部を２条形成し、前記面修正部の端縁部と前記目地部の端縁部との間に、Ｖ溝を形成して止水処理部を構成し、前記２条の面修正部上に前記碇着部を配置して前記目地部を跨って前記伸縮継手を固定してなることを特徴とするものである。
【００１１】
また、この発明の請求項２記載のコンクリート構造物用伸縮継手の固定構造は、請求項１記載の構成に加え、前記碇着部の前記面修正部への固定を、アンカーボルトで直接固定しまたはアンカーボルトを介して締め付けられる固定部材を介して固定してなることを特徴とするものである。
【００１４】
さらに、この発明の請求項３に記載のコンクリート構造物用伸縮継手の固定方法は、コンクリート構造物間の目地部に跨って配置される可撓性の伸縮継手をコンクリート構造物に固定するに際し、前記伸縮継手の両端部の碇着部が位置する前記コンクリート構造物表面の前記目地部から離れた両側にそれぞれ面修正部を２条形成した後、前記面修正部の端縁部と前記目地部の端縁部との間に、Ｖ溝を形成して止水処理を施すようにし、前記２条の面修正部上に、前記目地部を跨って前記碇着部を配置して締め付けて固定するようにしたことを特徴とするものである。
【００１５】
また、この発明の請求項４に記載のコンクリート構造物用伸縮継手の固定方法は、請求項３に記載の構成に加え、前記２条の面修正部を、それぞれ２条のカッター加工を行ってその間をハツリ加工して２条の凹溝を形成し、次いで、これら２条の凹溝にセメント系モルタル材を充填して形成するようにしたことを特徴とするものである。
【００１８】
さらに、この発明の請求項５に記載のコンクリート構造物用伸縮継手の固定方法は、請求項３または４に記載の構成に加え、前記碇着部の前記面修正部への固定を、前記面修正部にアンカーボルトを植設して行うか、あるいはアンカーボルトに締め付ける固定部材を介して行うようにしたことを特徴とするものである。
【発明の効果】
【００１９】
この発明の請求項１記載のコンクリート構造物用伸縮継手の固定構造によれば、コンクリート構造物間の目地部に跨って可撓性の伸縮継手を配置して固定するコンクリート構造物用伸縮継手の固定構造であって、前記伸縮継手の両端部の碇着部が位置する前記コンクリート構造物表面の前記目地部から離れた両側に、それぞれ面修正部を２条形成し、前記面修正部の端縁部と前記目地部の端縁部との間に、Ｖ溝を形成して止水処理部を構成し、前記２条の面修正部上に前記碇着部を配置して前記目地部を跨って前記伸縮継手を固定してなるので、２条の面修正部の目地部側の端部は、目地部を挟んで間隔を隔てた状態となり、面修正部を２条に分割して形成することで角隅部の欠け落ちを防止することができ、伸縮継手の固定に必要な面修正部を確実かつ簡単に形成することができ、廃棄物の発生を抑えることができる。
また、前記面修正部と前記碇着部との間に止水処理部を設けて構成したので、防水シートや止水材による止水処理部を設けることで、一層確実に止水することができる。
さらに、前記止水処理部を、前記面修正部の端縁部と前記目地部の端縁部との間に、Ｖ溝を形成して構成したので、Ｖ溝によって面修正部と碇着部との間への浸水を防止してＶ溝に導くことができ、確実に止水することができるとともに、伸縮継手の取付前に予め施工することができる。
【００２０】
また、この発明の請求項２記載のコンクリート構造物用伸縮継手の固定構造によれば、前記碇着部の前記面修正部への固定を、アンカーボルトで直接固定しまたはアンカーボルトを介して締め付けられる固定部材を介して固定してなるので、アンカーボルトによって直接固定することやアンカーボルトを介して締め付ける固定部材を介して固定することで、確実に伸縮継手を固定することができ、特に固定部材を介して固定する場合には、伸縮継手の碇着部に孔加工をすることなく固定することができる。
【００２３】
さらに、この発明の請求項３に記載のコンクリート構造物用伸縮継手の固定方法によれば、コンクリート構造物間の目地部に跨って配置される可撓性の伸縮継手をコンクリート構造物に固定するに際し、前記伸縮継手の両端部の碇着部が位置する前記コンクリート構造物表面の前記目地部から離れた両側にそれぞれ面修正部を２条形成した後、前記面修正部の端縁部と前記目地部の端縁部との間に、Ｖ溝を形成して止水処理を施すようにし、前記２条の面修正部上に、前記目地部を跨って前記碇着部を配置して締め付けて固定するようにしたので、２条の面修正部の目地側の端部は、目地部と間隔を隔てた状態となり、面修正部を２条に分割して形成することで角隅部の欠け落ちを防止することができ、伸縮継手の固定に必要な面修正部を確実かつ簡単に形成することができ、廃棄物の発生を抑えることができるとともに、伸縮継手の碇着部を確実に固定することができる。
また、前記面修正部の表面の前記目地部側の端縁部に、止水処理を施すようにしたので、防水シートや止水材を塗布するなどの止水処理により一層確実に止水することができる。
さらに、前記止水処理を、前記面修正部の端縁部と前記目地部の端縁部との間に、Ｖ溝を形成して構成したので、Ｖ溝によって面修正部と碇着部との間への浸水を防止してＶ溝に導くことができ、確実に止水することができるとともに、伸縮継手の取付前に予め施工することができる。
【００２４】
また、この発明の請求項４に記載のコンクリート構造物用伸縮継手の固定方法によれば、前記２条の面修正部を、それぞれ２条のカッター加工を行ってその間をハツリ加工して２条の凹溝を形成し、次いで、これら２条の凹溝にセメント系モルタル材を充填して形成するようにしたので、２条の凹溝のための4条のカッター加工により、ハツリ加工によって目地部の角隅部の欠け落ちを確実に防止することができ、簡単に２条の面修正部を形成することができる。
【００２７】
さらに、この発明の請求項５に記載のコンクリート構造物用伸縮継手の固定方法によれば、前記碇着部の前記面修正部への固定を、前記面修正部にアンカーボルトを植設して行うか、あるいはアンカーボルトに締め付ける固定部材を介して行うようにしたので、アンカーボルトによって直接固定することやアンカーボルトを介して締め付ける固定部材を介して固定することで、確実に伸縮継手を固定することができ、特に固定部材を介して固定する場合には、伸縮継手の碇着部に孔加工をすることなく固定することができる。
【図面の簡単な説明】
【００２８】
【図１】この発明のコンクリート構造物用伸縮継手の固定構造の一実施の形態にかかる横断面図である。
【図２】この発明のコンクリート構造物用伸縮継手の固定方法の一実施の形態にかかる概略工程図である。
【図３】この発明のコンクリート構造物用伸縮継手の固定構造およびその固定方法の一実施の形態にかかる止水処理の説明図である。
【図４】この発明のコンクリート構造物用伸縮継手の固定構造の他の一実施の形態にかかる横断面図である。
【図５】この発明が適用されるコンクリート構造物の一例に横断面図およびコンクリート構造物用伸縮継手の固定構造の横断面図である。
【図６】従来のコンクリート構造物用伸縮継手の固定方法の概略工程図である。
【発明を実施するための形態】
【００２９】
以下、この発明を実施するための形態について、図面に基づき詳細に説明する。  
このコンクリート構造物用伸縮継手の固定構造(以下、単に固定構造とする。)１０では、例えば図１に示すように、既設のコンクリート構造物１１，１１の目地部１２に跨るように設置することで止水するとともに、目地部１２の両側のコンクリート構造体１１，１１の不等沈下や地震時変位並びに温度変化等に起因する壁部分の伸縮等を許容するゴムや合成樹脂などの可撓性の伸縮継手１３の固定のための面修正部１４に特徴があり、コンクリート構造体１１、１１の目地部１２側の角隅部１１ｄ、１１ｄの欠け落ちを防止して躯体内空面１１ａに基準面１１ｂとなる面修正部１４を形成することで、容易に施工できるようにしたものである。
【００３０】
この固定構造１０では、伸縮継手１３の伸縮部１３ａの両端部の碇着部１３ｂ，１３ｂを取り付けるための面修正部１４を、図１および図２に示すように、目地部１２を挟む両側に目地部１２から離して形成してあり、２条に分割した面修正部１４，１４が形成してある。
【００３１】
これら２条の面修正部１４，１４はそれぞれの幅方向両縁部に沿ってカッター加工が施されてハツリ深さに対応する切り込み（カッター溝）１１ｃ、１１ｃが所定幅（設計面修正幅：伸縮継手の固定に必要な幅）で形成され、合計４条の切り込み１１ｃが形成される（図２（ａ）参照）。
【００３２】
そして、４条の切り込みのうち２条の面修正部１４，１４に対応するそれぞれ２条の切り込み１１ｃ，１１ｃの間がハツリ加工によって２条の凹溝１４ａ，１４ａが形成される（図２（ｂ）参照）。
【００３３】
このようにしてハツリ加工を行うことで、目地部１２の角隅部１１ｄの目地部１２よりコンクリート構造体１１の内側に切り込み１１ｃが形成してあるので、ハツリ加工の力が切り込み１１ｃから目地部１２側へは伝達されず、角隅部１１ｄの欠け落ちを防止することができる。
【００３４】
こうして目地部１２を挟んで間隔をあけて２条の凹溝１４ａ，１４ａを形成した後、これら凹溝１４ａ，１４ａ内に特殊セメント系モルタルなどセメント系モルタル材を打設充填し、表面を平坦に仕上げる。これにより、２条の面修正部１４，１４が完成する（図２（ｃ）参照）。
【００３５】
コンクリート構造体１１，１１にそれぞれ面修正部１４，１４が完成した後、伸縮継手１３の固定がこれまでと同様に行われ、たとえば図１に示すように、この面修正部１４，１４上にポリエステルなどの補強布１５を目地部１２を跨ぐように敷き、ゴムや合成ゴム等の弾性部材で製作され中間部に折り畳んだ伸縮部１３ａを備えた伸縮継手１３の両端の碇着部１３ｂ，１３ｂを配置して保護シート１６で覆い、両端部の碇着部１３ｂ，１３ｂ等を押え板１７を介して樹脂アンカー１８およびナット１８aで固定する。また、目地部１２には、必要に応じて目地材１９を装着する。
【００３６】
なお、この伸縮継手１３を固定する場合には、必要に応じて、例えば図１に示すように、碇着部１３ｂ、１３ｂと面修正部１４，１４との間に止水材を介在させる止水処理を施すようにすることもできる。
【００３７】
また、止水処理としては、図３に示すように、面修正部１４の目地部１２側の端縁部とコンクリート構造体１１とに跨るように水膨張ゴムやブチルゴムなどの止水材２１を取り付けることで、止水性を向上するようにすることもできる。
【００３８】
さらに、止水処理としては、図３(ｂ)に示すように、面修正部１４の目地部１２側の端縁部とコンクリート構造体１１との間にＶ溝２２を形成し、浸水をＶ溝２２に導くようにすることで、止水性を向上するようにすることもでき、Ｖ溝２２による止水処理は、伸縮継手１３の取付前に予め施工しておくことができる。
【００３９】
この固定構造１０に用いられる可撓性の伸縮継手１３は、長尺帯状の幅方向中間部に略Ω字状に折り畳んだ折り畳み部１３ａを備えるとともに、幅方向両端部に平板状の碇着部１３ｂが設けられてゴムや合成樹脂などの弾性部材で構成され、必要に応じて補強部材が一層ないし複数層埋設される。
【００４０】
なお、伸縮継手１３としては、図１に示したものに限らず、例えば図２(ｄ)に示すように、伸縮部１３ａの形状が略逆Ｕ字状などの異なるものであっても良く、これら図示例のものに限らず、他の形状のものであっても良い。
【００４１】
このように構成したコンクリート構造物用伸縮継手の固定構造１０およびその固定方法によれば、コンクリート構造物１１，１１間の目地部１２に跨って可撓性の伸縮継手１３を配置して固定するコンクリート構造物用伸縮継手の固定構造で、伸縮継手１３の両端部の碇着部１３ｂ，１３ｂが位置するコンクリート構造物１１の表面の目地部１２から離れた両側に、それぞれ面修正部１４，１４を２条形成し、これら２条の面修正部１４，１４上に碇着部１３ｂ，１３ｂを配置して目地部１２を跨って伸縮継手１３を固定したので、２条の面修正部１４，１４の目地部１２側の端部は、目地部１２を挟んで間隔を隔てた状態となり、面修正部１４，１４を２条に分割して形成することで角隅部１１ｄ，１１ｄの欠け落ちを防止することができ、伸縮継手１３の固定に必要な面修正部１４，１４を確実かつ簡単に形成することができ、廃棄物の発生を抑えることができる。
【００４２】
さらに、このコンクリート構造物用伸縮継手の固定構造およびその固定方法によれば、前記面修正部と前記碇着部との間に止水処理部を設けて止水処理を行うようにしたので、防水シートや止水材２１による止水処理部を設けることで、一層確実に止水することができるとともに止水処理部を、面修正部１４，１４の端縁部と目地部１２の端縁部との間にＶ溝２２で構成することで、Ｖ溝２２によって面修正部１４，１４と碇着部１３ｂ，１３ｂとの間への浸水を防止してＶ溝２２に導くことができ、確実に止水することができるとともに、Ｖ溝２２は伸縮継手１３の取付前の面修正部の施工時に予め施工することができる。
【００４３】
次に、この発明のコンクリート構造物用伸縮継手の固定構造の他の一実施の形態について、図４により説明するが、すでに説明した上記の実施の形態と同一部分には、同一記号を記し、重複する説明は省略する。
【００４４】
このコンクリート構造物用伸縮継手の固定構造 (以下、単に固定構造とする。)３０では、伸縮継手１３の碇着部１３ｂの面修正部１４，１４への固定方法が異なるもので、アンカーボルトで直接固定することなく、押え部材３１を介して固定部材３２で固定することで、アンカーボルト用の孔加工を省略するようにしたものである。
【００４５】
この固定構造３０では、図４に示すように、伸縮継手１３の碇着部１３ｂに当てられる押え部材３１が用いられ、上方が開口した略コ字状のリップ溝型形状の横断面形状のもので構成され、例えば溝幅を５０ｍｍ、溝高さを２５ｍｍ、厚さを２ｍｍ、リップ幅を１０ｍｍとする。このリップ溝型形状の横断面形状により、幅５０ｍｍ、厚さ１６．７ｍｍの平板状とする場合に比べ、同一の剛性を確保しながら、重量を１／３．７３に軽量化することができる。
【００４６】
なお、さらに剛性を上げる必要がある場合には、溝底部上に平板状の板を介在させるようにすれば良い。
【００４７】
このような押え部材３１を用いる固定構造３０では、押え部材３１を面修正部１４,１４に植設したアンカーボルト１８およびナット１８aで直接コンクリート構造物１１、１１に固定することなく、伸縮継手１３の外側の面修正部１４，１４に植設するアンカーボルト１８およびナット１８を介して固定部材３２を締め付け、この固定部材３２を介して押え部材３１を固定する。
【００４８】
この固定部材３２は、アンカーボルトにて挿通固定される中間板状部３２ａを備えてアンカーボルト１８用の取り付け穴３２ｂが形成され，この中間板状部３２ａの両側を内側に曲げ起こすように曲げ加工して両側板部３２ｃ、３２ｃが形成してある。これら両側板部３２ｃのそれぞれの先端部に押え部材３１を押える押えアーム部３２ｄが突き出すように形成されるとともに、両側板部３２ｃのそれぞれの基端部に中間板状部３２ａと空間を隔てて同一面をなしコンクリート構造物１１に当接されるように内側に突き出した弾性当接部３２ｆを一体に形成して構成してある。
【００４９】
そして、この固定部材３２では、押えアーム部３２ｄの突き出し長さが押え部材３１の溝幅に対応する長さとされ、押えアーム部３２ｄの先端部に係止突起部３２ｅが形成してあり、係止突起部３２ｅが押え部材３１の外側に位置する状態（押え部材３１を乗り越えた状態）で係止できるようにしてある。
【００５０】
また、この固定部材３２では、中間板状部３２ａの下面から両側板部３２ｃの押えアーム部３２ｄの下面までの距離（側板部の高さに相当）をアンカーボルト１８に締め付けたときに、押え部材３１を介して伸縮継手１３の碇着部１３ｂをコンクリート構造物１１に圧着するのに必要な面圧を発生できるように設定してある。
【００５１】
次に、このような固定部材３２を用いる伸縮継手１３の固定方法は、予め、伸縮継手１３、押え部材３１および固定部材３２を工場で製作するとともに、施工現場では、伸縮継手１３の碇着部１３ｂ、１３ｂの外側となるコンクリート構造物１１、１１の面修正部１４，１４にアンカーボルト１８を植設する。
【００５２】
この後、まず、コンクリート構造物１１,１１の２条の面修正部１４，１４および目地部１２に跨るように補強布１５を敷き、その上に伸縮継手１３を配置し、その外側を保護カバー１６で覆って伸縮部材１３を設置する。
【００５３】
そして、伸縮継手１３の碇着部１３ｂ、１３ｂ上に押え部材３１を配置し、押え部材３１の両端部など仮固定に必要な位置において、アンカーボルト１８を利用して固定部材３２を締め付けて押え部材３１を介して伸縮継手１３を仮固定する。
【００５４】
なお、碇着部１３ｂ上に押え部材３１を配置する場合の連結部では、これまでのアンカーボルトで直接固定する場合のようなボルト穴の位置調整のための隙間(クリアランス)が必要でなく、密着させた状態で押え部材３１を配置することができ、特にコーナ部分でも隙間（クリアランス）を設けることなく連結して配置することができ、これによって面圧を均一にして締め付けることができる。
【００５５】
こうして仮固定した後、固定部材３２の中間板状部３２ａの取り付け穴３２ｂにアンカーボルト１８を挿通してナット１８ａで仮止めして回転できる状態あるいは移動できる状態とした後、アンカーボルト１８を中心に回転したり、移動して固定部材３２の先端部の係止突起部３２ｅが押え部材３１を乗り越えるようにして押えアーム部３２ｄを押え部材３１上に位置させるとともに、基端部の弾性当接部３２ｆをコンクリート構造物１１に当接させる。
【００５６】
この後、ナット１８ａをアンカーボルト１８に締め付けることで固定部材３２を締め付けて押え部材３１を介して伸縮継手１３の碇着部１３ｂをコンクリート構造物１１の面修正部１４，１４に圧着する。
【００５７】
なお、アンカーボルト１８としては、例えばケミカルアンカーが用いられ、ステンレス製のＭ１６のボルトが使用される。
【００５８】
このようなアンカーボルト１８への固定部材３２の仮固定、固定部材３２の回転または移動、固定部材３２の締め付け作業を繰り返すことで伸縮継手１３の固定が完了する。
【００５９】
この固定構造３０での固定部材３２による締付け状態では、固定部材３２の中間板状部３２ａに加えられた締付け力が、両側板部３２ｃの押えアーム部３２ｄの２箇所と弾性当接部３２ｆの２箇所の合計４箇所に分散されて加わることになり、これまでのアンカーボルトに直接固定する場合などに比べ締付け面圧を均一にすることができる。これにより、アンカーボルト１８のボルトピッチを大きくすることもでき、工数削減を図ることができる。
【００６０】
また、この固定構造３０では、締付け力によって、固定部材３２の両側板部３２ｃが外側に広がるように弾性変形するとともに、弾性当接部３２ｆが弾性変形することおよび締付け力によって押え部材３１の両側部が倒れるように弾性変形した状態で固定されるので、コンクリート構造物１１に変位が生じた場合でもこれらの弾性変形によるばね効果によって締付面圧の低下を低減して固定状態を保持することができる。
【００６１】
さらに、この固定構造３０では、伸縮継手１３の碇着部１３ｂを直接アンカーボルトで固定する場合に比べ、アンカーボルト１８での締め付けは固定部材３２の中間板状部の厚さだけとなって伸縮継手１３の厚さ分だけ締付高さを低くすることができ、コンクリート構造物１１の内部空間への影響を抑えることができる。
【００６２】
また、固定部材３２の押えアーム部３２ｄの係止突起部３２ｅによって、例えコンクリート構造物１１に変位が生じても固定部材３２の押えアーム部３２ｄが外れ難く、抜け防止効果を増大することができる。
【００６３】
このような固定構造３０およびその固定方法によれば、これまでのアンカーボルトの位置が決まってからボルトピッチを測定し、これに基づいて可撓性の伸縮継手、押え部材、保護カバーなどの孔加工をする必要がなく、アンカーボルト１８の設置と並行して可撓性の伸縮継手１３、押え部材３１、固定部材３２の製作を行うことができ、固定構造３０の施工を短期間に完了することができる。
【符号の説明】
【００６４】
１０        コンクリート構造物用伸縮継手の固定構造
１１        コンクリート構造物
１１ａ      躯体内空面
１１ｂ      基準面
１１ｃ      切り込み
１１ｄ      角隅部
１２        目地部
１３        可撓性の伸縮継手
１３ａ      伸縮部
１３ｂ      碇着部
１４        面修正部
１４ａ      凹溝
１５        補強布
１６        保護カバー
１７        押え部材
１８        アンカーボルト
１８ａ      ナット
１９        目地材
２１        止水材(止水処理)
２２        Ｖ溝(止水処理)
３０        コンクリート構造物用伸縮継手の固定構造
３１        押え部材
３２        固定部材
３２ａ      中間板状部
３２ｂ      取り付け穴
３２ｃ      両側板部
３２ｄ      押えアーム部
３２ｅ      係止突起部
３２ｆ      弾性当接部
【図１】
0005464736.tif 000002
【図２】
0005464736.tif 000003
【図３】
0005464736.tif 000004
【図４】
0005464736.tif 000005
【図５】
0005464736.tif 000006
【図６】
0005464736.tif 000007